(57)【要約】【課題】流体流から酸性ガスを除去するための吸収剤の製造用の予備混合物を提供する。【解決手段】  流体流から酸性ガスを除去するための吸収剤の製造用の予備混合物であって、ａ）少なくとも第三級アミン及び／又は立体障害のある第二級アミン；ｂ）ａ）中のプロトン化可能な窒素原子に基づいた中和当量として計算して、少なくとも３０％の量のジカルボン酸であって、２０℃の温度での水への溶解度が水１００ｇ当たりジカルボン酸１５ｇ以下である前記ジカルボン酸；並びにｃ）２０〜８０質量％の水を含む予備混合物。前記予備混合物から吸収剤を製造するための方法も記載する。前記予備混合物は、流体流から酸性ガスを除去するための吸収剤の製造用の、輸送可能で容易に取り扱うことができる、水に難溶性であるジカルボン酸の溶液である。【特許請求の範囲】
【請求項１】
流体流から酸性ガスを除去するための吸収剤の製造用の予備混合物であって、
ａ）少なくとも第三級アミン及び／又は立体障害のある第二級アミン；
ｂ）ａ）中のプロトン化可能な窒素原子に基づいた中和当量として計算して、少なくとも３０％の量のジカルボン酸であって、２０℃の温度での水への溶解度が水１００ｇ当たりジカルボン酸１５ｇ以下である前記ジカルボン酸；並びに
Ｃ）２０〜８０質量％の水
を含む予備混合物。
【請求項２】
前記ｂ）の量が、ａ）中のプロトン化可能な窒素原子に基づいた中和当量として計算して３０％〜４００％である、請求項１に記載の予備混合物。
【請求項３】
前記第三級アミンがアルカノールアミンである、請求項１又は２に記載の予備混合物。
【請求項４】
前記立体障害のある第二級アミンがアルカノールアミノエーテルである、請求項１から３のいずれか一項に記載の予備混合物。
【請求項５】
前記ジカルボン酸ｂ）がコハク酸及びアジピン酸から選択される、請求項１から４のいずれか一項に記載の予備混合物。
【請求項６】
流体流から酸性ガスを除去するための吸収剤を製造する方法であって、第三級アミン及び／又は立体障害のある第二級アミン、ジカルボン酸及び水を含み、前記ジカルボン酸が２０℃の温度で水１００ｇ当たりジカルボン酸１５ｇ以下の水への溶解度を有し、且つ前記ジカルボン酸の量が、前記アミンのプロトン化可能な窒素原子に基づいた中和当量として計算して前記吸収剤中よりも多い予備混合物を、アミン及び任意に水と混合することを含む吸収剤の製造方法。
【請求項７】
前記ジカルボン酸がコハク酸及びアジピン酸から選択される、請求項６に記載の方法。
【請求項８】
前記予備混合物が請求項１から４のいずれか一項に記載の予備混合物である、請求項６又は７に記載の方法。
【請求項９】
前記吸収剤が、前記ジカルボン酸を前記アミンのプロトン化可能な窒素原子に基づいた中和当量として計算して０．５％〜１５％の量で含む、請求項６から８のいずれか一項に記載の方法。
【請求項１０】
前記吸収剤が、流体流から二酸化炭素よりも硫化水素を選択的に除去することに適している、請求項６から９のいずれか一項に記載の方法。
【発明の詳細な説明】
【技術分野】
【０００１】
本発明は、流体流から酸性ガスを除去するための吸収剤の製造用の予備混合物、及び前記予備混合物から吸収剤を製造する方法に関する。
【背景技術】
【０００２】
様々な理由で、天然ガス、精製ガス又は合成ガスなどの流体流から酸性ガス、例えばＣＯ２、Ｈ２Ｓ、ＳＯ２、ＣＳ２、ＨＣＮ、ＣＯＳ又はメルカプタンを除去することは、重要である。例えば、多くの硫黄化合物は、低濃度であっても悪臭を有し毒性がある。高濃度のＣＯ２は、パイプライン又は販売ガスとして使用されるとき、ガスの発熱量を減少させるので、二酸化炭素は、とりわけ天然ガスから除去する必要がある。流体流中に頻繁に同伴される水分と一緒になったＣＯ２は、さらにパイプ及びバルブの腐食を引き起こす可能性がある。
【０００３】
酸性ガスの除去は、無機塩基又は有機塩基の、例えばアミンの水溶液を用いたスクラブ（scrubs）を使用して達成される。酸性ガスが吸収剤中に溶解すると、塩基と反応してイオンが形成される。吸収剤は、より低い圧力への減圧及び／又はストリッピングによって再生することができ、イオン種が逆反応を受けて酸性ガスを形成する、及び／又は蒸気でストリッピングされ取り除かれる。吸収剤は、再生処理後に再利用することができる。
【０００４】
酸性ガス洗浄に使用される吸収剤は、しばしば酸を含む。例えば、ＵＳ２０１０／０２８８１２５Ａ１には、少なくとも１種のアミン及び少なくとも１種のホスホン酸を０．０００５〜１．０のモル比で含む吸収剤が記載されている。ＵＳ４８９２６７４には、アミン並びに高度に立体障害のあるアミノ塩及び／又は立体障害のあるアミノ酸を含む吸収溶液を用いた流体流からの硫化水素の除去が記載されている。
【０００５】
酸と、吸収剤中に存在する塩基、例えばアミンとの間のプロトン化平衡が確立する。平衡の位置は温度依存性であり、より高い温度では、平衡は、プロトン化のエンタルピーがより低い遊離オキソニウムイオン及び／又はアミン塩へ移行する。吸収剤への使用に適したアミンは、ｐＫａの明確な温度依存性を有利に示す。これは、比較的低い温度では、吸収工程で主流であるように、より高いｐＨが効率的な酸性ガス吸収を促進する一方、比較的高い温度では、脱着工程で主流であるように、より低いｐＨが吸収された酸性ガスの放出を支持するという結果を有する。
【０００６】
ある特定の酸を添加することの欠点は、吸収剤中に存在するアミンの分解を、酸が促進する可能性があることである。
【０００７】
コハク酸又はアジピン酸などのジカルボン酸が、水性アミン吸収剤の再生を同様に促進できることが見出されている。例えば鉱酸又はギ酸などの低級有機酸を含む吸収剤と比較して、ジカルボン酸を含む吸収剤は、低減されたメチルジエタノールアミン（ＭＤＥＡ）などのアミンの分解を示す。
【０００８】
ガス洗浄用の吸収剤の製造は、一般に、低濃度の濃縮水や純粋なアミン又はアミン混合物を、ガス洗浄施設内で水と直接混合することによって実施する。これにより、アミン成分の輸送量及び輸送質量が可能な限り低く保たれる。酸の計量添加は一般に、吸収剤の使用直前又は進行している操作中に実施する。
【０００９】
酸は、水溶液として適切に添加される。ジカルボン酸を使用することの欠点は、これらが固体であり、しばしば水への難溶性を示すことである。固体の計量添加は一般に高価で複雑であり、大部分のガス洗浄施設では提供されないので、このようなジカルボン酸の高希釈水溶液を用いることが必要である。これにより、酸成分の輸送量及び輸送質量が高くなる。ジカルボン酸の高希釈水溶液を使用することによって、所望の酸濃度をもたらすために大量の溶液を用いることが必要となる可能性がある。これは、吸収剤の望ましくない希釈をもたらす可能性がある。実質的に水を含まないアミン成分中にジカルボン酸が溶解することは、水と比較して一般により難溶性であるので可能ではない。
【先行技術文献】
【特許文献】
【００１０】
【特許文献１】ＵＳ２０１０／０２８８１２５Ａ１
【００１１】
【特許文献２】ＵＳ４８９２６７４
【発明の概要】
【発明が解決しようとする課題】
【００１２】
本発明の目的は、流体流から酸性ガスを除去するための吸収剤の製造用の、輸送可能で容易に取り扱うことができる、水に難溶性であるジカルボン酸の溶液を提供することを目的とする。
【００１３】
ＥＰ０１３４９４８Ａ２には、アルカリ性水溶液を得るために水と混合する組成物が記載されている。組成物は、アルカリ性材料と、アルカリ性材料の０％〜２２％をプロトン化するのに十分な量の６未満のｐＫａを有する酸とを含む。アルカリ性水溶液は、酸を含まない溶液と比較して、流体流からの硫化水素の吸収において改善された特性を示す。
【課題を解決するための手段】
【００１４】
この目的は、流体流から酸性ガスを除去するための吸収剤の製造用の予備混合物であって、
ａ）少なくとも第三級アミン及び／又は立体障害のある第二級アミン；
ｂ）ａ）中のプロトン化可能な窒素原子に基づいた中和当量として計算して、少なくとも３０％の量のジカルボン酸であって、２０℃の温度での水への溶解度が水１００ｇ当たりジカルボン酸１５ｇ以下である前記ジカルボン酸；並びに
ｃ）２０〜８０質量％の水
を含む予備混合物によって達成される。
【発明を実施するための形態】
【００１５】
水への難溶性を示すジカルボン酸ｂ）は、予備混合物の組成物中に完全に溶解することが見出された。よって吸収剤の製造は、予備混合物を水及び／又はアミンと使用場所で単純に混合することによって実施し得る。
【００１６】
さらに、ジカルボン酸ｂ）は、水性吸収剤中でメチルジエタノールアミン（ＭＤＥＡ）などの分解傾向のあるアミンに、より高い安定性をもたらすことが見出された。これにより、ガス洗浄施設のさらなる効率的な操作が可能となる。吸収剤をより長く使用し得るからである。
【００１７】
アミンａ）は、第三級アミン及び／又は立体障害のある第二級アミンを含む。
【００１８】
「第三級アミン」という用語は、少なくとも１個の第三級アミノ基を有する化合物を意味すると理解されるべきである。第三級アミンは、好ましくは第三級アミノ基のみを含む。すなわち、第三級アミンは少なくとも１個の第三級アミノ基に加えて第一級又は第二級アミノ基を含まない。第三級アミンは、好ましくはモノアミンである。第三級アミンは、好ましくは酸性基、例えば特にホスホン酸基、スルホン酸基及び／又はカルボン酸基などを有さない。
【００１９】
適切な第三級アミンａ）は、特に、
１．第三級アルカノールアミン、例えば、
ビス（２−ヒドロキシエチル）メチルアミン（メチルジエタノールアミン、ＭＤＥＡ）、トリス（２−ヒドロキシエチル）アミン（トリエタノールアミン、ＴＥＡ）、トリブタノールアミン、２−ジエチルアミノエタノール（ジエチルエタノールアミン、ＤＥＥＡ）、２−ジメチルアミノエタノール（ジメチルエタノールアミン、ＤＭＥＡ）、３−ジメチルアミノ−１−プロパノール（Ｎ，Ｎ−ジメチルプロパノールアミン）、３−ジエチルアミノ−１−プロパノール、２−ジイソプロピルアミノエタノール（ＤＩＥＡ）、Ｎ，Ｎ−ビス（２−ヒドロキシプロピル）メチルアミン（メチルジイソプロパノールアミン、ＭＤＩＰＡ）；
２．第三級アミノエーテル、例えば、
３−メトキシプロピルジメチルアミン；
３．第三級ポリアミン、例えば、ビス−第三級ジアミン、例えば、
Ｎ，Ｎ，Ｎ’，Ｎ’−テトラメチルエチレンジアミン、Ｎ，Ｎ−ジエチル−Ｎ’，Ｎ’−ジメチルエチレンジアミン、Ｎ，Ｎ，Ｎ’，Ｎ’−テトラエチルエチレンジアミン、Ｎ，Ｎ，Ｎ’，Ｎ’−テトラメチル−１，３−プロパンジアミン（ＴＭＰＤＡ）、Ｎ，Ｎ，Ｎ’，Ｎ’−テトラエチル−１，３−プロパンジアミン（ＴＥＰＤＡ）、Ｎ，Ｎ，Ｎ’，Ｎ’−テトラメチル−１，６−ヘキサンジアミン、Ｎ，Ｎ−ジメチル−Ｎ’，Ｎ’−ジエチルエチレンジアミン（ＤＭＤＥＥＤＡ）、１−ジメチルアミノ−２−ジメチルアミノエトキシエタン（ビス［２−（ジメチルアミノ）エチル］エーテル）、１，４−ジアザビシクロ［２．２．２］オクタン（ＴＥＤＡ）、テトラメチル−１，６−ヘキサンジアミン；
及びそれらの混合物
を含む。
【００２０】
第三級アルカノールアミンが特に好ましい。最も好ましいのは、メチルジエタノールアミン（ＭＤＥＡ）である。
【００２１】
「立体障害のある第二級アミン」という用語は、少なくとも１個の立体障害のある第二級アミノ基を有する化合物を意味すると理解されるべきである。立体障害のある第二級アミノ基という用語は、アミノ基の窒素原子に直接隣接する少なくとも１個の第二級又は第三級炭素原子の存在を示すと理解されるべきである。
【００２２】
第二級炭素原子は、立体障害の位置への結合とは別に、２つの炭素−炭素結合を有する炭素原子を意味すると理解されるべきである。第三級炭素原子は、立体障害の位置への結合とは別に、３つの炭素−炭素結合を有する炭素原子を意味すると理解されるべきである。
【００２３】
適切な立体障害のある第二級アミンａ）は、特に：
１．立体障害のある第二級アルカノールアミン、例えば
２−（２−ｔｅｒｔ−ブチルアミノエトキシ）エタノール（ＴＢＡＥＥ）、２−（２−ｔｅｒｔ−ブチルアミノ）プロポキシエタノール、２−（２−ｔｅｒｔ−アミルアミノエトキシ）エタノール、２−（２−（１−メチル−１−エチルプロピルアミノ）エトキシ）エタノール、２−（ｔｅｒｔ−ブチルアミノ）エタノール、２−ｔｅｒｔ−ブチルアミノ−１−プロパノール、３−ｔｅｒｔ−ブチルアミノ−１−プロパノール、３−ｔｅｒｔ−ブチルアミノ−１−ブタノール、３−アザ−２，２−ジメチルヘキサン−１，６−ジオール；２−（２−イソプロピルアミノエトキシ）エタノール、２−（２−イソプロピルアミノ）プロポキシエタノール、２−（イソプロピルアミノ）エタノール、２−イソプロピルアミノ−１−プロパノール、３−イソプロピルアミノ−１−プロパノール、及び３−イソプロピルアミノ−１−ブタノール；
２．立体障害のあるアミノエーテル、例えば
１，２−ビス（ｔｅｒｔ−ブチルアミノエトキシ）エタン、ビス（ｔｅｒｔ−ブチルアミノエチル）エーテル、２−（２−（２−（ｔｅｒｔ−ブチルアミノ）エトキシ）エトキシ）エトキシメチルエーテル（ＭＥＥＥＴＢ）；
及びそれらの混合物
を含む。
【００２４】
立体障害のある第二級アルカノールアミンが好ましく、特にｔｅｒｔ−ブチル基を含む立体障害のある第二級アルカノールアミンが好ましい。最も好ましいのは２−（２−ｔｅｒｔ−ブチルアミノエトキシ）エタノール（ＴＢＡＥＥ）である。
【００２５】
一実施形態では、予備混合物は、立体障害のない第一級アミン又は立体障害のない第二級アミンを含まない。立体障害のない第一級アミンという用語は、水素原子又は第一級若しくは第二級炭素原子のみが結合している第一級アミノ基を有する化合物を意味すると理解されるべきである。立体障害のない第二級アミンという用語は、水素原子又は第一級炭素原子のみが結合している第二級アミノ基を有する化合物を意味すると理解されるべきである。
【００２６】
予備混合物は、ａ）中のプロトン化可能な窒素原子に基づいた中和当量として計算して、少なくとも３０％の量のジカルボン酸ｃ）を含む。予備混合物中のジカルボン酸ｂ）の量は、ａ）中のプロトン化可能な窒素原子に基づいた中和当量として計算して、好ましくは３０％〜４００％、特に好ましくは５０％〜４００％、非常に特に好ましくは５０％〜３００％であり、最も好ましくは１００％〜３００％である。
【００２７】
ジカルボン酸という用語は、分子中に２個のカルボキシ基を有する化合物を意味すると理解されるべきである。
【００２８】
「中和当量」という用語は、水溶液中の中和反応においてプロトンを供与することができる酸性分子の理論上の分率である。例えば、ギ酸の分子は１中和当量に相当し、コハク酸の分子は２中和当量に、Ｈ３ＰＯ４の分子は３中和当量に相当する。
【００２９】
「プロトン化可能な窒素原子」という用語は、水溶液中でプロトン化することができるａ）によるアミン中に存在する窒素原子の総計に関する。これらは一般にアミノ基の窒素原子である。
【００３０】
ジカルボン酸は、２０℃での水への溶解度が水１００ｇ当たりジカルボン酸１５ｇ以下である。以下の表に、様々なジカルボン酸の水への溶解度を報告する。
【００３１】
【表１】
2019513553.tif 000002
【００３２】
適切なジカルボン酸ｃ）は、特にシュウ酸、コハク酸、アジピン酸、ピメリン酸、スベリン酸、アゼライン酸及びセバシン酸を含む。アジピン酸及びコハク酸が特に好ましい。コハク酸が最も好ましい。
【００３３】
本発明による予備混合物は、２０〜８０質量％の水、好ましくは３０〜７０質量％の水、特に好ましくは４０〜７０質量％の水、最も好ましくは５０〜７０質量％の水を含む。
【００３４】
本発明はさらに、流体流から酸性ガスを除去するための吸収剤を製造する方法であって、第三級アミン及び／又は立体障害のある第二級アミン、ジカルボン酸及び水を含む予備混合物と、アミン及び任意に水と、を混合する、製造方法に関する。上記のジカルボン酸は、２０℃の温度で、水１００ｇ当たりジカルボン酸１５ｇ以下の溶解度を有し、且つ予備混合物中のジカルボン酸の量は、前記アミンのプロトン化可能な窒素原子に対する中和当量として計算して、吸収剤中よりも多い。
【００３５】
予備混合物は、好ましくは、上記のような予備混合物である。上述の予備混合物の全ての言及した好ましい実施形態は、本発明による方法において用いられる予備混合物についても好ましい。
【００３６】
ジカルボン酸の量は、アミンのプロトン化可能な窒素原子に基づいた中和当量として計算して、吸収剤中よりも予備混合物中の方が多い。好ましい実施形態では、吸収剤はジカルボン酸を、アミンのプロトン化可能な窒素原子に基づいた中和当量として計算して、０．５％〜１５％、特に好ましくは１％〜１０％、最も好ましくは２％〜８％の量で含む。
【００３７】
予備混合物と混合するアミンが、第三級アミン及び／又は立体障害のある第二級アミンである場合が好ましい。上述の第三級アミン／立体障害のある第二級アミンの全ての言及した好ましい実施形態は、予備混合物と混合するアミンにも適用される。予備混合物と混合するアミンが、予備混合物中に存在するアミンである場合が特に好ましい。
【００３８】
吸収剤中のアミン濃度は、典型的には２０〜６０質量％の範囲、好ましくは３０〜６０質量％の範囲、特に好ましくは３０〜５０質量％の範囲である。
【００３９】
二酸化炭素よりも硫化水素に対して選択的な吸収剤が望ましい場合、吸収剤は好ましくは、立体障害のない第一級アミン又は立体障害のない第二級アミンを含まない。この種類の化合物は、ＣＯ２吸収の強力な活性化剤として作用する。これにより、吸収剤のＨ２Ｓ選択性が失われる可能性がある。
【００４０】
吸収剤は、有機溶剤を含んでよい。有機溶媒は、特に好ましくは、スルホン、グリコール及びポリアルキレングリコールから選択される。有機溶媒は、非常に特に好ましくはスルホンから選択される。好ましい有機溶媒はスルホランである。
【００４１】
吸収剤はまた、腐食防止剤、酵素などの添加剤も含んでよい。そのような添加剤の量は、一般に吸収剤の約０．０１〜３質量％の範囲である。
【００４２】
吸収剤は、流体流を吸収剤と接触させる、前記流体流から酸性ガスを除去するための方法に用いることができる。
【００４３】
流体は、ガス、例えば天然ガス、合成ガス、コークス炉ガス、分解ガス、石炭ガス化ガス、サイクルガス、埋立ガス及び燃焼ガス、並びに、実質的に吸収剤と混和しない液体、例えばＬＰＧ（液化石油ガス）又はＮＧＬ（天然ガス液）などを含む。本方法は、炭化水素流体流を処理するのに特に適している。存在する炭化水素は、例えば脂肪族炭化水素、例えばＣ１〜Ｃ４炭化水素、例えばメタン、不飽和炭化水素、例えばエチレン若しくはプロピレン、又はベンゼン、トルエン若しくはキシレンのような芳香族炭化水素のような芳香族炭化水素である。
【００４４】
本方法は、ＣＯ２及びＨ２Ｓの除去に適している。二酸化炭素及び硫化水素だけでなく、ＣＯＳ及びメルカプタンなど、他の酸性ガスも流体流中に存在することが可能である。さらに、ＳＯ３、ＳＯ２、ＣＳ２及びＨＣＮの除去も可能である。
【００４５】
本方法では、流体流を吸収工程において吸収器中で吸収剤と接触させ、洗浄して二酸化炭素及び硫化水素を少なくとも部分的に取り除く。これにより、ＣＯ２及びＨ２Ｓのない流体流、並びに、ＣＯ２及びＨ２Ｓを含む吸収剤がもたらされる。
【００４６】
使用する吸収剤は、慣例のガス洗浄法で使用される洗浄装置である。この方法は、１つ以上の、特に２つの連続的な吸収工程を含み得る。
【００４７】
本方法は好ましくは、ＣＯ２及びＨ２Ｓを含む吸収剤を再生する再生工程を含む。再生工程において、ＣＯ２及びＨ２Ｓ及び任意にさらなる酸性ガス成分が、ＣＯ２及びＨ２Ｓを含む吸収剤から放出され、再生された吸収剤が得られる。好ましくは、再生された吸収剤は、次いで吸収工程に再利用される。一般的には、再生工程は、加熱、減圧、及び不活性流によるストリッピングのうち少なくとも１つの作用を含む。
【００４８】
再生工程における酸性ガス成分の放出は、例えば垂直又は水平に設置されたフラッシュ容器などの減圧カラム、又は内部を含む向流カラムで実施し得る。
【実施例】
【００４９】
本発明を、以下の実施例を参照することでさらに特定して説明する。
【００５０】
以下の略称を使用した。
【００５１】
ＡＡ          アジピン酸
ＳＡ            コハク酸
ＭＤＥＡ        メチルジエタノールアミン
ＴＢＡＥＥ      ２（２−ｔｅｒｔ−ブチルアミノエトキシ）エタノール
【００５２】
参照例１
本参照例は、コハク酸／アジピン酸の様々なアミンへの溶解度を２３．５℃で分析した。
【００５３】
１００ｇのＭＤＥＡを２ｇのコハク酸と混合し、マグネチックスターラーで攪拌した。不溶性の沈降物が形成された。ＭＤＥＡ中のコハク酸の溶解度は２ｇ／１００ｇ未満である。
【００５４】
１００ｇのＴＢＡＥＥを１．７ｇのコハク酸と混合し、マグネチックスターラーで攪拌した。不溶性の沈降物が形成された。ＴＢＡＥＥ中のコハク酸の溶解度は、１．７ｇ／１００ｇ未満である。
【００５５】
１００ｇのＭＤＥＡを２ｇのアジピン酸と混合し、マグネチックスターラーで攪拌した。不溶性の沈降物が形成された。ＭＤＥＡ中のアジピン酸の溶解度は２ｇ／１００ｇ未満である。
【００５６】
実施例１
本実施例は、コハク酸／アジピン酸のアミン水溶液への溶解度を２３．５℃で分析した。
【００５７】
これは、不溶性沈殿物が形成されるまで、以下の表に示すアミン水溶液（出発溶液）にカルボン酸を撹拌しながら添加することによって達成した。溶解限度におけるアミン水溶液の組成は、以下の表に報告する。
【００５８】
【表２】
2019513553.tif 000003
【００５９】
参照例２
本参照例は、様々なカルボン酸の存在下におけるＭＤＥＡの安定性を分析した。
【００６０】
３０質量％のＭＤＥＡ、１５質量％のＴＢＡＥＥ及び様々なカルボン酸を含むアミン水溶液を、以下の表に従い混合によって製造した。このようにして得られた溶液に、２０ｍ３（ＳＴＰ）／ｔのＣＯ２及び２０ｍ３（ＳＴＰ）／ｔのＨ２Ｓを取り込ませた。これは、まず水性吸収剤を４０℃及び１バールでガラスシリンダーに充填し、溶液にＨ２Ｓ／ＣＯ２を約３時間通過させることによって達成した。ＣＯ２／Ｈ２Ｓの負荷量は、滴定、及びその後続けて未取り込みの吸収剤の希釈によって確立する２０ｍ３（ＳＴＰ）／ｔのＣＯ２及び２０ｍ３（ＳＴＰ）／ｔのＨ２Ｓの負荷によって特定した。このように酸性ガス取り込み溶液を、窒素を充填したオートクレーブに移した。密閉したオートクレーブを油浴中で１６０℃に加熱し、この温度で５日間保持した。
【００６１】
オートクレーブを冷却した後、試料を取り出し、酸性ガス（ＣＯ２及びＨ２Ｓ）を窒素でストリッピングした。これは、冷却器を備えたガラスフラスコに試料を移し、完全に還流する試料に１００℃で４時間かけてＮ２を通過させることによって達成した。次いで、酸性ガスを実質的に含まない溶液を、ガスクロマトグラフィーによりそのアミン含有量について分析した。ＴＡＢＥＥ含量はすべての試料で実質的に変化しなかったが、ＭＤＥＡについて用いる酸に依存して顕著な差異が観察された。結果を以下の表に示す。
【００６２】
【表３】
2019513553.tif 000004
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
流体流から酸性ガスを除去するための吸収剤の製造用の予備混合物であって、
ａ）少なくとも第三級アミン及び／又は立体障害のある第二級アミン；
ｂ）ａ）中のプロトン化可能な窒素原子に基づいた中和当量として計算して、少なくとも３０％の量のジカルボン酸であって、２０℃の温度での水への溶解度が水１００ｇ当たりジカルボン酸１５ｇ以下である前記ジカルボン酸；並びに
ｃ）２０〜８０質量％の水
を含む予備混合物。
【請求項２】
前記ｂ）の量が、ａ）中のプロトン化可能な窒素原子に基づいた中和当量として計算して３０％〜４００％である、請求項１に記載の予備混合物。
【請求項３】
前記第三級アミンがアルカノールアミンである、請求項１又は２に記載の予備混合物。
【請求項４】
前記立体障害のある第二級アミンがアルカノールアミノエーテルである、請求項１から３のいずれか一項に記載の予備混合物。
【請求項５】
前記ジカルボン酸ｂ）がコハク酸及びアジピン酸から選択される、請求項１から４のいずれか一項に記載の予備混合物。
【請求項６】
請求項１から５のいずれか一項に記載の予備混合物をアミン及び任意に水と混合することを含む流体流から酸性ガスを除去するための吸収剤を製造する方法であって、前記予備混合物中の前記ジカルボン酸の量が前記アミンのプロトン化可能な窒素原子に基づいた中和当量として計算して前記吸収剤中よりも多い吸収剤の製造方法。
【請求項７】
前記吸収剤が前記ジカルボン酸を、前記アミンのプロトン化可能な窒素原子に基づいた中和当量として計算して、０．５％〜１５％の量で含む請求項６に記載の方法。
【請求項８】
前記吸収剤が、立体障害のない第一級アミン及び立体障害のない第二級アミンを含まない請求項６又は７に記載の方法。
【国際調査報告】
2019513553.tif 000005
2019513553.tif 000006
2019513553.tif 000007
2019513553.tif 000008